【手続補正書】
【提出日】平成16年12月22日(2004.12.22)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】
装置本体を駆動するための駆動回路基板と、装置本体を制御するための制御回路基板と、画像データを制御するためのイメージコントローラ基板と、を有する画像形成装置において、
前記駆動回路基板は前記制御回路基板と接続され、前記制御回路基板は前記イメージコントローラ基板と接続され、前記駆動回路基板と前記イメージコントローラ基板は略垂直的に設けられ、前記制御回路基板は略水平的に設けられていることを特徴とする画像形成装置。
【請求項２】
装置本体の互いに対向する両側面のうち、前記駆動回路基板は一方の側面に沿ってその近傍に設けられ、前記イメージコントローラ基板は他方の側面に沿ってその近傍に設けられていることを特徴とする請求項１記載の画像形成装置。
【請求項３】
装置本体の機構部を駆動する駆動源を有し、前記駆動源は前記駆動回路基板が設けられた側面側とは反対側の側面側に設けられていることを特徴とする請求項２記載の画像形成装置。
【請求項４】
前記制御回路基板は前記駆動回路基板と前記イメージコントローラ基板の上方端部近傍に設けられていることを特徴とする請求項１記載の画像形成装置。
【請求項５】
レーザを駆動するレーザ駆動回路基板を有し、前記レーザ駆動回路基板は前記制御回路基板とコネクタにより接続されていることを特徴とする請求項１記載の画像形成装置。
【請求項６】
前記駆動回路基板と前記制御回路基板は、同一基板上に部品を実装した後、その基板を分割することで形成されたものであることを特徴とする請求項１記載の画像形成装置。
【請求項７】
前記駆動回路基板は、スイッチング電源回路部、ヒータ駆動回路部及び高圧電源回路部を有し、前記制御回路基板は、高圧電源制御回路部、ヒータ制御回路部、レーザスキャナ制御回路部、モータ駆動制御回路部及びそれらを制御するプロセッサを有し、前記イメージコントローラ基板は、画像データに基づいてレーザをＯＮ／ＯＦＦ変調するビットマップデータを生成し、制御回路との通信を行うプロセッサ、ＲＯＭ及びＲＡＭを有することを特徴とする請求項１記載の画像形成装置。
【手続補正３】
【補正対象書類名】明細書
【補正対象項目名】０００１
【補正方法】変更
【補正の内容】
【０００１】
【発明の属する技術分野】
本発明は、電子写真プロセスを経て画像を形成するレーザプリンタ等の画像形成装置に関するものである。
【手続補正４】
【補正対象書類名】明細書
【補正対象項目名】０００２
【補正方法】変更
【補正の内容】
【０００２】
【従来の技術】
従来のレーザプリンタ等の画像形成装置の各機能部品の配置構成の一例を図５に示す。
【手続補正５】
【補正対象書類名】明細書
【補正対象項目名】０００３
【補正方法】変更
【補正の内容】
【０００３】
図５は従来の画像形成装置の断面図であり、同図において、１１はプリンタエンジンの制御を司るエンジン制御基板、１２は不図示のホストコンピュータから送信される画像データに基づいて半導体レーザをＯＮ／ＯＦＦ変調するためのビットマップデータを生成するイメージコントローラ基板、１３は半導体レーザ、レーザ駆動回路、水平同期信号発生回路、ポリゴンモータ、レンズ、折り返しミラー等から構成されるスキャナユニット、１４は感光ドラム、帯電ローラ、現像器、クリーナ容器等から構成されるプロセスカートリッジ、１５は記録紙を給紙搬送する搬送路、１６は搬送路５を駆動する駆動手段の駆動源であるモータである。
【手続補正６】
【補正対象書類名】明細書
【補正対象項目名】０００４
【補正方法】変更
【補正の内容】
【０００４】
図５に示す構成を有する画像形成装置では、エンジン制御基板１１を搬送路１５の下方に平面配置し、更にその下方にイメージコントローラ基板１２を配置し、スキャナユニット１３を搬送路１５の上方に配置し、搬送路１５とスキャナユニット１３の間にプロセスカートリッジ１４が配置している。
【手続補正７】
【補正対象書類名】明細書
【補正対象項目名】０００９
【補正方法】変更
【補正の内容】
【０００９】
以上が従来のレーザプリンタ等の画像形成装置の構成の一例である。
【手続補正８】
【補正対象書類名】明細書
【補正対象項目名】００１０
【補正方法】変更
【補正の内容】
【００１０】
【発明が解決しようとする課題】
しかしながら、上記従来の画像形成装置においては、エンジン制御基板１１及びイメージコントローラ基板１２を搬送路５の下方に平面配置し、スキャナユニット１３を搬送路５の上方に配置していたため、エンジン制御基板１１或はイメージコントローラ基板１２とスキャナユニット１３との接続は束線やＦＦＣ等によって行われており、これらは距離が離れているため、その配線は長いものとなっていた。特に、近年はレーザプリンタの高解像度化が進められたため、レーザＯＮ／ＯＦＦ信号（ＶＤＯ）の周波数も高周波となり、その結果、放射電界ノイズ（ＲＦＩ）が大きくなり、その対策が困難となってきた。
【手続補正９】
【補正対象書類名】明細書
【補正対象項目名】００１２
【補正方法】変更
【補正の内容】
【００１２】
更に、図４及び図５に示す従来の画像形成装置においては、発熱量の大きなスイッチング電源回路部１１ａを本体底面に水平配置しているため、放熱効率が悪く、機内温度上昇による部品の劣化や画質の低下等の弊害を生じ易く、又、この弊害を回避するためにファン等の空冷手段を用いると、コストアップを招くという問題があった。
【手続補正１０】
【補正対象書類名】明細書
【補正対象項目名】００１３
【補正方法】変更
【補正の内容】
【００１３】
本発明は上記問題に鑑みてなされたもので、その目的とする処は、高周波配線部を短縮して放射電界ノイズ及びその対策コストの低減を図ることができるとともに、放熱効率を上げて機内温度上昇による部品の劣化や画質の低下等を防ぐことができる画像形成装置を提供することにある。
【手続補正１１】
【補正対象書類名】明細書
【補正対象項目名】００１４
【補正方法】変更
【補正の内容】
【００１４】
【課題を解決するための手段】
上記目的を達成するため、本発明は、装置本体を駆動するための駆動回路基板と、装置本体を制御するための制御回路基板と、画像データを制御するためのイメージコントローラ基板と、を有する画像形成装置において、前記駆動回路基板は前記制御回路基板と接続され、前記制御回路基板は前記イメージコントローラ基板と接続され、前記駆動回路基板と前記イメージコントローラ基板は略垂直的に設けられ、前記制御回路基板は略水平的に設けられていることを特徴とする。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
従って、本発明によれば、ＶＤＯ信号等の高周波制御信号が極めて短絡して配線されるため、放射電界ノイズ（ＲＦＩ）の低減が可能となり、その対策コストを大幅に削減することができる。又、このとき、駆動回路基板とイメージコントローラ基板は略垂直的に設けられ、制御回路基板は略水平的に設けられているため、基板上の発熱部品の放熱効率が高く、冷却ファン等を用いなくても、発熱部品の冷却を効率良く行うことができる。
【手続補正１５】
【補正対象書類名】明細書
【補正対象項目名】００１９
【補正方法】変更
【補正の内容】
【００１９】
＜実施の形態１＞
図１は本発明の実施の形態１に係るレーザプリンタ等の画像形成装置の側断面図、図２は同画像形成装置の正断面図、図３は回路基板の機能ブロック図である。
【手続補正１６】
【補正対象書類名】明細書
【補正対象項目名】００２８
【補正方法】変更
【補正の内容】
【００２８】
【発明の効果】
以上の説明で明らかなように、本発明によれば、装置本体を駆動するための駆動回路基板と、装置本体を制御するための制御回路基板と、画像データを制御するためのイメージコントローラ基板と、を有する画像形成装置において、前記駆動回路基板は前記制御回路基板と接続され、前記制御回路基板は前記イメージコントローラ基板と接続され、前記駆動回路基板と前記イメージコントローラ基板は略垂直的に設けられ、前記制御回路基板は略水平的に設けられているため、高周波配線部を短縮して放射電界ノイズ及びその対策コストの低減を図ることができるとともに、放熱効率を上げて機内温度上昇による部品の劣化や画質の低下等を防ぐことができるという効果が得られる。
【手続補正１７】
【補正対象書類名】明細書
【補正対象項目名】図面の簡単な説明
【補正方法】変更
【補正の内容】
【図面の簡単な説明】
【図１】
本発明の実施の形態１に係る画像形成装置の側断面図である。
【図２】
本発明の実施の形態１に係る画像形成装置の正断面図である。
【図３】
本発明の実施の形態１に係る画像形成装置の回路機能ブロック図である。
【図４】
本発明の実施の形態２を示す基板構成図である。
【図５】
従来の画像形成装置の側断面図である。
【図６】
従来の画像形成装置の回路機能ブロック図である。
【符号の説明】
１        エンジン駆動回路基板
１ａ      スイッチング電源回路部
１ｂ      ヒータ駆動回路部
１ｃ      高圧電源回路部
３        スキャナユニット
３ａ      レーザ駆動回路基板
３ｂ      ポリゴンスキャナ
４        プロセスカートリッジ
５        搬送路
６        モータ
７        定着ヒータ
８        駆動部
２１      エンジン制御回路基板
２１ａ    プロセッサ
２１ｂ    モータ駆動回路
２２      イメージコントローラ基板
２２ａ    プロセッサ